(57)【要約】【課題】光伝送システムの設定作業を容易化するとともに作業の時間短縮を図る。【解決手段】光伝送装置は、第１の光信号に含まれる第１の光監視信号を受信し、受信された前記第１の光監視信号から設定情報を抽出して出力する第１の光監視手段と、前記第１の光監視信号が分離された前記第１の光信号に所定の処理を行って第２の光信号として出力するとともに、前記光監視手段から出力された前記設定情報に基づいて前記所定の処理の内容を設定する光処理手段と、を備える。【選択図】      図５
2018050155.tif 000002
【特許請求の範囲】
【請求項１】
第１の光信号に含まれる第１の光監視信号を受信し、受信された前記第１の光監視信号から設定情報を抽出して出力する第１の光監視手段と、
前記第１の光監視信号が分離された前記第１の光信号に所定の処理を行って第２の光信号として出力するとともに、前記第１の光監視手段から出力された前記設定情報に基づいて前記所定の処理の内容を設定する光処理手段と、
を備える光伝送装置。
【請求項２】
前記第１及び第２の光信号はＷＤＭ（Wavelength Division Multiplexing）光信号であり、前記光処理手段は前記ＷＤＭ光信号に含まれるキャリアの振幅を前記キャリアの波長毎にモニタして制御するレベルイコライザである、請求項１に記載された光伝送装置。
【請求項３】
前記キャリアの中心周波数及び占有周波数帯域幅は、フレックスグリッド方式により規定される、請求項２に記載された光伝送装置。
【請求項４】
外部から受信した第３の光信号の波長を変換する波長変換手段、前記ＷＤＭ光信号の経路切り替えを行う光経路切替手段、前記ＷＤＭ光信号を増幅する光増幅手段、のうち少なくとも１つをさらに備える、請求項２又は３に記載された光伝送装置。
【請求項５】
前記第１の光監視手段から前記設定情報を取得し、第２の光監視信号として出力する第２の光監視手段をさらに備え、
前記第２の光信号と前記第２の光監視信号とが合波されて外部に出力される、
請求項１乃至４のいずれか１項に記載された光伝送装置。
【請求項６】
ネットワーク監視システムからの設定指示を受信し、受信した前記設定指示の内容を前記光伝送装置内に通知する監視制御手段をさらに備える、請求項１乃至５のいずれか１項に記載された光伝送装置。
【請求項７】
設定指示を生成するネットワーク監視装置と、
前記設定指示を転送するネットワークと、
前記ネットワークから前記設定指示を受信して、受信した前記設定指示の内容を装置内に通知する監視制御手段を備える、請求項５に記載された光伝送装置と、
を備え、
前記光伝送装置は縦続接続されている、光伝送システム。
【請求項８】
第１の光信号に含まれる第１の光監視信号を受信し、
受信された前記第１の光監視信号から設定情報を抽出して出力し、
前記第１の光監視信号が分離された前記第１の光信号に所定の処理を行って第２の光信号として出力し、
前記設定情報に基づいて前記所定の処理の内容を設定する、
光伝送装置の設定方法。
【請求項９】
さらに、
前記設定情報を第２の光監視信号として出力し、
前記第２の光信号と前記第２の光監視信号とを合波して外部に出力する、
請求項８に記載された光伝送装置の設定方法。
【請求項１０】
さらに、
ネットワーク監視システムからの設定指示を受信し、
受信した前記設定指示の内容を前記光伝送装置内に通知する、請求項８又は９に記載された光伝送装置の設定方法。
【発明の詳細な説明】
【技術分野】
【０００１】
本発明は、光伝送装置及びその設定方法に関し、特に、光伝送システムに含まれる光伝送装置の設定を容易に行うための技術に関する。
【背景技術】
【０００２】
ＷＤＭ光信号を用いた光伝送システムにおいて、ＲＯＡＤＭ装置やＯＸＣ装置により、光信号を電気信号に変えることなく光信号の経路を柔軟に切り替えることが可能となった。ＷＤＭ光信号は、キャリア（搬送波）の波長（周波数）が異なる複数の光信号が多重された光信号である。また、ＷＤＭは、Wavelength Division Multiplexing、ＲＯＡＤＭはReconfigurable Optical Add/Drop Multiplexing、ＯＸＣはOptical Cross Connectのそれぞれ略である。
【０００３】
ＲＯＡＤＭ装置やＯＸＣ装置には、サービス開通のために光信号の波長毎にパス設定が必要である。また、長距離伝送実現のために用いられる光信号毎のレベル調整機能（ＬＥＱ：レベルイコライズ制御）が光伝送システムの端局及び再生中継局に実装されることが多い。
【０００４】
ＷＤＭ光信号の周波数配置の方式として、固定グリッド方式と可変グリッド方式（フレックスグリッド方式）とが知られている。固定グリッド方式では、ＷＤＭ光信号に含まれる光信号のキャリアの中心周波数配置及び占有周波数幅は固定されていた。それに対し、フレックスグリッド方式では、光信号のキャリアの中心周波数配置及び占有周波数幅は可変である。
【０００５】
一方、通信事業者にとっては通信コストの削減が急務となっており、信号収容効率を向上できるフレックスグリッド技術の適用が求められている。さらに、フレックスグリッド適用装置の運用にあたっては、装置運用者の作業の簡略化も求められる。
【０００６】
本発明に関連して、特許文献１には、光通信ネットワークシステムにおける波長パスの設定手順が記載されている。
【先行技術文献】
【特許文献】
【０００７】
【特許文献１】特開２００７−２５９２７２号公報
【発明の概要】
【発明が解決しようとする課題】
【０００８】
近年、周波数帯域の空きスペースの有効利用により周波数利用効率を向上するため、フレックスグリッド方式に対応したキーデバイスの開発が進められている。そして、ＲＯＡＤＭ機能及びＯＸＣ機能を備える装置（以下、ＲＯＡＤＭ／ＯＸＣ装置という。）においてもフレックスグリッド対応が進んでいる。
【０００９】
フレックスグリッド対応にあたっては、サービス開通のためのパス設定の際に、ＷＤＭ光信号に含まれるキャリアの周波数単位で、信号種別、パス情報等の設定が必要となる。これらの設定を遠隔から実施するために、一般に、ネットワーク管理システム（ＮＭＳ、Network Management System）が用いられる。ＮＭＳを用いることで、異なる局舎に設置された通信装置に対して装置運用者が遠隔から設定を行うことができる。ＮＭＳを用いた設定作業の際には、パス全体で一貫性をもった設定を通信装置毎に行う必要がある。特に、フレックスグリッド方式が適用された光伝送システムでは、信号毎に中心周波数や周波数帯域が異なるため、装置毎の設定が複雑であり、装置運用者の熟練を要するという課題がある。
【００１０】
（発明の目的）
本発明は、光伝送システムの設定作業を容易化するとともに作業の時間短縮を図ることが可能な技術を提供することを目的とする。
【課題を解決するための手段】
【００１１】
本発明の光伝送装置は、第１の光信号に含まれる第１の光監視信号を受信し、受信された第１の光監視信号から設定情報を抽出して出力する第１の光監視手段と、第１の光監視信号が分離された第１の光信号に所定の処理を行って第２の光信号として出力するとともに、第１の光監視手段から出力された設定情報に基づいて所定の処理の内容を設定する光処理手段と、を備える。
【００１２】
本発明の光伝送装置の設定方法は、第１の光信号に含まれる第１の光監視信号を受信し、受信された第１の光監視信号から設定情報を抽出して出力し、第１の光監視信号が分離された第１の光信号に所定の処理を行って第２の光信号として出力し、設定情報に基づいて所定の処理の内容を設定する、ことを特徴とする。
【発明の効果】
【００１３】
本発明は、光伝送システムの設定作業を容易化するとともに作業の時間短縮を図ることが可能な技術を提供する。
【図面の簡単な説明】
【００１４】
【図１】光伝送システム１０の構成例を示すブロック図である。
【図２】光伝送システム１０に固定グリッド方式が適用されている場合の設定の例を説明する図である。
【図３】光伝送システム１０にフレックスグリッド方式が適用されている場合の設定の例を説明する図である。
【図４】図３の場合における装置運用者の操作手順の例を説明する図である。
【図５】フレックスグリッド方式が適用された光伝送システム１０において、光監視信号を用いた設定の例を説明する図である。
【図６】図５の場合における装置運用者の操作手順の例を説明する図である。
【図７】光伝送システム２０と、光監視信号を用いたその設定の例を説明する図である。
【図８】光伝送システム３０と、光監視信号を用いたその設定の例を説明する図である。
【発明を実施するための形態】
【００１５】
（第１の実施形態）
図１は、本発明の第１の実施形態の光伝送システム１０の構成例を示すブロック図である。光伝送システム１０は、ＮＭＳ（Network Management System）１、監視ネットワーク（ＮＷ）２、ＷＤＭ（Wavelength Division Multiplexing）光伝送装置１００、２００、３００及び４００を備える。ＮＭＳ１は、例えばサーバを用いてＷＤＭ光伝送装置１００、２００、３００及び４００の監視及び制御を行うためのネットワーク管理装置である。監視ネットワーク２は、ＮＭＳ１とＷＤＭ光伝送装置１００、２００、３００及び４００とを接続するネットワークであり、例えばＩＰ（Internet Protocol）を用いたネットワークである。装置運用者は、ＮＭＳ１を操作することで監視ネットワーク２を介してＷＤＭ光伝送装置１００、２００、３００及び４００の監視及び制御を行う。ＷＤＭ光伝送装置１００、２００、３００及び４００は、この順序で縦続接続されている。
【００１６】
（ＷＤＭ光伝送装置１００）
ＷＤＭ光伝送装置１００は、ＷＤＭ光信号の多重分離及び経路切り替え機能を有する。ＷＤＭ光伝送装置１００は、光伝送システム１０におけるＲＯＡＤＭ／ＯＸＣ部と呼ぶことができる。ＷＤＭ光伝送装置１００は、監視制御部（ＣＯＮＴ）１０１と、光波長変換部（ＣＯＮＶ）１０２と、光経路切替部（ＳＷ）１０３と、光レベルモニタ部（ＬＥＱ）１０４と、光増幅部（ＡＭＰ）１０６と、光監視部（ＭＯＮ）１０７とを備える。
【００１７】
監視制御部１０１は、ＷＤＭ光伝送装置１００内の監視制御機能及び監視ネットワーク２とのインタフェースを有する、電気回路である。光波長変換部１０２は、ルータ等のユーザ装置から受信した、ユーザデータを含む光信号の波長を変換する。光経路切替部１０３は、光波長変換部１０２から出力された光信号の波長多重及びＷＤＭ光信号の経路切り替えを行う。光レベルモニタ部１０４は、光経路切替部１０３によって波長多重されたＷＤＭ光信号のレベルをキャリア波長毎にモニタして、そのレベルを制御する。光レベルモニタ部１０４として、光レベルイコライザを用いることができる。
【００１８】
光増幅部１０６は、光レベルモニタ部１０４から出力されたＷＤＭ光信号を増幅して伝送路へ出力する。光監視部１０７は、ＷＤＭ光伝送装置１００の監視制御情報を含む光監視信号を送信する。光監視信号は、光増幅部１０６から出力されるＷＤＭ光信号とは波長が重複しない光信号である。光監視信号は、光伝送システム１０の内部で発生した警報や光伝送システム１０に含まれる装置の制御信号の転送に用いられる。光監視信号は、光増幅部１０６から出力されるＷＤＭ光信号に重畳されて伝送される。ＷＤＭ光伝送装置１００は、光増幅部１０６から出力されるＷＤＭ光信号と光監視部１０７から出力される光監視信号とを例えば光合波器を用いて波長多重して伝送路へ出力する。光合波器は、波長が異なる複数の光信号を合波する光部品である。
【００１９】
（ＷＤＭ光伝送装置２００）
ＷＤＭ光伝送装置２００は光信号の再生中継機能を備える。ＷＤＭ光伝送装置２００は、監視制御部（ＣＯＮＴ）２０１、光監視部（ＭＯＮ）２０７及び２０８、光増幅部（ＡＭＰ）２０６、光レベルモニタ部（ＬＥＱ）２０４を備える。
【００２０】
監視制御部２０１は、ＷＤＭ光伝送装置２００内の監視制御機能及び監視ネットワーク２とのインタフェースを有する。光監視部２０８は、ＷＤＭ光伝送装置１００から光監視信号を受信する。光監視部２０８が受信する光監視信号は、ＷＤＭ光伝送装置１００が備える光監視部１０７が送信した光信号であり、ＷＤＭ光伝送装置２００の入力において、入力された光信号から光監視信号が分離される。光監視信号の分離には、光分波器を用いてもよい。光分波器は、入力されたＷＤＭ光信号を波長帯域毎に分離する光部品である。
【００２１】
光増幅部２０６は、光監視信号が分離された後のＷＤＭ光信号を増幅する。光レベルモニタ部２０４は、光増幅部２０６で増幅されたＷＤＭ光信号のレベルをキャリア波長単位でモニタするとともにそのレベルを制御する。光レベルモニタ部２０４として、光レベルイコライザを用いることができる。光監視部２０７は、ＷＤＭ光伝送装置２００の監視制御情報を含む光監視信号を送信する。光監視部２０７から出力される光監視信号は、光レベルモニタ部２０４から出力されるＷＤＭ光信号とは異なる波長の光信号である。ＷＤＭ光伝送装置２００は、光レベルモニタ部２０４から出力されるＷＤＭ光信号と光監視部２０７から出力される光監視信号とを例えば光合波器を用いて波長多重して伝送路へ出力する。
【００２２】
（ＷＤＭ光伝送装置３００）
ＷＤＭ光伝送装置３００は、光信号の多重分離及び経路切り替え機能を有するＲＯＡＤＭ／ＯＸＣ装置である。ＷＤＭ光伝送装置３００は、監視制御部（ＣＯＮＴ）３０１、光監視部（ＭＯＮ）３０７及び３０８、光増幅部（ＡＭＰ）３０５及び３０６、光経路切替部（ＳＷ）３０３、光レベルモニタ部（ＬＥＱ）３０４、を備える。
【００２３】
監視制御部３０１は、ＷＤＭ光伝送装置３００内の監視制御機能及び監視ネットワーク２とのインタフェースを有する。光監視部３０８は、ＷＤＭ光伝送装置２００から光監視信号を受信する。光監視部３０８が受信する光監視信号は、ＷＤＭ光伝送装置２００が備える光監視部２０７が送信した光信号であり、ＷＤＭ光伝送装置３００の入力において、入力された光信号から分離される。光監視信号の分離には、光分波器を用いてもよい。
【００２４】
光増幅部３０５は、光監視信号が分離された後のＷＤＭ光信号を増幅する。光経路切替部３０３は、光増幅部３０５で増幅されたＷＤＭ光信号の多重分離及び経路切り替え（挿入分離又はスルー）を行う。本実施形態では、光経路切替部３０３は、入力される全ての信号を光レベルモニタ部３０４に出力する設定（スルー接続）である。光レベルモニタ部３０４は、光経路切替部３０３から出力されたＷＤＭ光信号のレベルをキャリア波長単位でモニタして、そのレベルを制御する。光レベルモニタ部３０４として、光レベルイコライザを用いることができる。光増幅部３０６は、光レベルモニタ部３０４から出力されたＷＤＭ光信号を増幅する。
【００２５】
光監視部３０７は、ＷＤＭ光伝送装置３００の監視制御情報を送信する。光監視部３０７から出力される光監視信号は、光増幅部３０６から出力される光信号とは異なる波長の光信号である。ＷＤＭ光伝送装置３００は、光増幅部３０６から出力されるＷＤＭ光信号と光監視部３０７から出力される光監視信号とを、例えば光合波器を用いて波長多重して、伝送路へ出力する。
【００２６】
（ＷＤＭ光伝送装置４００）
ＷＤＭ光伝送装置４００は、ＷＤＭ光信号の多重分離及び経路切り替え機能を有するＲＯＡＤＭ／ＯＸＣ装置である。ＷＤＭ光伝送装置４００は、監視制御部（ＣＯＮＴ）４０１、光監視部（ＭＯＮ）４０８、光増幅部（ＡＭＰ）４０５、光レベルモニタ部（ＬＥＱ）４０４、光経路切替部（ＳＷ）４０３、光波長変換部（ＣＯＮＶ）４０９を備える。
【００２７】
監視制御部４０１は、ＷＤＭ光伝送装置４００内の監視制御機能及び監視ネットワーク２とのインタフェースを有する。光監視部４０８は、ＷＤＭ光伝送装置３００から監視制御情報を受信する。光監視部４０８が受信する光監視信号は、ＷＤＭ光伝送装置３００が備える光監視部３０７が送信した光信号であり、ＷＤＭ光伝送装置４００の入力において、入力されたＷＤＭ光信号から分離される。光監視信号の分離には、光分波器を用いてもよい。
【００２８】
光増幅部４０５は、光監視信号が分離された後のＷＤＭ光信号を増幅する。光レベルモニタ部４０４は、光増幅部４０５から出力されたＷＤＭ光信号のレベルをキャリア波長単位でモニタして、そのレベルを制御する。光レベルモニタ部４０４として、光レベルイコライザを用いることができる。光経路切替部４０３は、光レベルモニタ部４０４で増幅されたＷＤＭ光信号の分離及び経路切り替えを行う。光波長変換部４０９は、分離された光信号を波長変換してユーザ装置へ出力する。
【００２９】
（信号の流れの説明）
本実施形態では、光伝送システム１０の外部にある他の伝送装置（例えばルータ）からの光信号がＷＤＭ光伝送装置１００において光伝送システム１０に挿入される。ＷＤＭ光伝送装置１００は、光伝送システム１０に挿入された１つ以上の光信号を波長多重してＷＤＭ光信号を生成する。ＷＤＭ光信号はＷＤＭ光伝送装置２００及びＷＤＭ光伝送装置３００を介して伝送され、ＷＤＭ光伝送装置４００において波長単位で分離される。分離された光信号は、ＷＤＭ光伝送装置４００から他の光伝送システムの伝送装置へ向けて出力される。ＷＤＭ光伝送装置３００は光経路切替部３０３を備えている。しかし、本実施形態では光経路切替部３０３はＷＤＭ光信号に対する挿入及び分離の操作を行うことなく通過させるように設定（スルー接続）される。ただし、ＷＤＭ光伝送装置３００にも光波長変換部を設けてＷＤＭ光伝送装置３００の外部から光信号を挿入したり、光波長変換部を用いて光信号を分離したりすることも可能である。
【００３０】
本実施形態ではＷＤＭ光伝送装置１００からＷＤＭ光伝送装置４００の方向へのＷＤＭ光信号の伝搬についてのみ記載する。しかし、ＷＤＭ光伝送装置４００からＷＤＭ光伝送装置１００への方向についても同様の構成が存在してもよい。例えば、後述する図７のように、ＷＤＭ光伝送装置１００とＷＤＭ光伝送装置４００との間で双方向伝送を行うシステムを実現することも可能である。さらに、図面に記載されたＷＤＭ光伝送装置１００、２００、３００及び４００における各機能ブロックの接続構成や順序は一例であり、実施形態は図面の記載に限定されない。
【００３１】
（１．固定グリッド方式が適用されている場合の設定手順の例）
図２は、光伝送システム１０に固定グリッド方式が適用されている場合の設定情報の流れの例を説明する図である。ＷＤＭ光伝送装置１００、ＷＤＭ光伝送装置２００、ＷＤＭ光伝送装置３００、ＷＤＭ光伝送装置４００にて運用される光信号の周波数配置は、例えば５０ＧＨｚ間隔に固定されている。ここで、ＷＤＭ光伝送装置１００からＷＤＭ光伝送装置４００の方向に、中心周波数がＡｆである光信号Ａｓ及び中心周波数がＢｆである光信号Ｂｓを疎通させる場合の設定手順を以下に示す。図２において、装置運用者がＮＭＳ１において入力した設定情報は、一点鎖線の経路により各部に反映される。
【００３２】
装置運用者は、ＷＤＭ光伝送装置１００に対し、中心周波数Ａｆの光信号Ａｓを挿入する設定と、中心周波数Ｂｆの光信号Ｂｓを挿入する設定を行う。具体的には、装置運用者は、ＮＭＳ１を操作し、監視ネットワーク２及び監視制御部１０１を介して、光波長変換部１０２に対して光信号Ａｓを中心周波数Ａｆで発光させる設定、及び、光信号Ｂｓを中心周波数Ｂｆで発光させる設定を行う。さらに、装置運用者は、光経路切替部１０３に対して、中心周波数Ａｆ及び中心周波数Ｂｆの光信号が挿入され、波長多重されてＷＤＭ光伝送装置２００に出力されるように設定する。
【００３３】
同様に、装置運用者は、ＷＤＭ光伝送装置３００に対し、中心周波数Ａｆの光信号及び中心周波数Ｂｆの光信号をスルーするように設定する。具体的には、装置運用者は、ＮＭＳ１を操作し、監視ネットワーク２及び監視制御部３０１を介して、光経路切替部３０３を、中心周波数Ａｆの光信号及び中心周波数Ｂｆの光信号をスルーさせてＷＤＭ光伝送装置４００へ出力するように設定する。
【００３４】
さらに、装置運用者はＷＤＭ光伝送装置４００に対し、中心周波数Ａｆの光信号及び中心周波数Ｂｆの光信号の分離設定を行う。具体的には、装置運用者は、ＮＭＳ１を操作し、監視ネットワーク２及び監視制御部４０１を介して、光経路切替部４０３を、中心周波数Ａｆの光信号及び中心周波数Ｂｆの光信号を分離して出力するように設定する。分離された光信号Ａｓ及び光信号Ｂｓを受信した光波長変換部４０９は、それぞれの光信号を他のユーザ装置と接続された伝送路に適合した周波数（波長）の光信号として出力する。
【００３５】
以上で固定グリッド方式が適用されている場合の設定が完了する。ここで、光信号Ａｓ及び光信号Ｂｓの長距離伝送による伝送品質維持のため、ＷＤＭ光伝送装置１００、２００、３００及び４００においてレベル制御が必要となる場合がある。ここでは、光信号Ａｓ及び光信号Ｂｓの中心周波数、占有周波数帯域幅は既知の固定値である。このため、光レベルモニタ部１０４、２０４、３０４、４０４に対しては、波長や帯域幅の情報を設定したりその情報の変更を指示したりすることなくＷＤＭ光信号のレベル制御が可能である。
【００３６】
（２．フレックスグリッド方式が適用されている場合の設定手順の例）
図３は、光伝送システム１０にフレックスグリッド方式が適用されている場合の設定の例を説明する図である。図４は、図３の場合における装置運用者の操作手順の例を説明する図である。フレックスグリッド方式が適用されている場合には、ＷＤＭ光伝送装置１００、２００、３００及び４００を通過する光信号の周波数配置及び占有周波数帯域幅は可変であり、光信号毎に異なる場合がある。ここで、ＷＤＭ光伝送装置１００からＷＤＭ光伝送装置４００の方向に、中心周波数がＡｆ、占有周波数帯域幅がＡｗである光信号Ａｓ、及び、中心周波数がＢｆ、占有周波数帯域幅がＢｗである光信号Ｂｓを疎通させる場合の設定手順の例を以下に示す。図３及び図４において、装置運用者がＮＭＳ１において入力した設定情報は一点鎖線の経路により各部に反映される。
【００３７】
装置運用者は、ＷＤＭ光伝送装置１００に対し、光信号Ａｓ（中心周波数Ａｆ、占有周波数帯域幅Ａｗ）を挿入する設定と、光信号Ｂｓ（中心周波数Ｂｆ、占有周波数帯域幅Ｂｗ）を挿入する設定を行う。具体的には、装置運用者は、ＮＭＳ１を操作し、監視ネットワーク２及び監視制御部１０１を介して、光波長変換部１０２に対して光信号Ａｓを中心周波数Ａｆ、占有周波数帯域幅Ａｗで発光させる設定を行う。そして、装置運用者は、光信号Ｂｓを中心周波数Ｂｆ、占有周波数帯域幅Ｂｗで発光させる設定を行う。また、装置運用者は、光経路切替部１０３に対して、光信号Ａｓ及び光信号Ｂｓを挿入するように、中心周波数及び占有周波数帯域幅を設定する。さらに、光レベルモニタ部１０４に対しても光信号Ａｓ及びＢｓのレベルモニタ及びレベル制御が可能なように、それぞれの中心周波数及び占有周波数帯域幅を設定する。この手順は、図４のＳ１１〜Ｓ１２に対応する。
【００３８】
同様に、装置運用者は、ＷＤＭ光伝送装置２００に対し、光信号Ａｓと光信号Ｂｓとを疎通させる設定を行う。具体的には、装置運用者は、ＮＭＳ１を操作し、監視ネットワーク２及び監視制御部２０１を介して、光レベルモニタ部２０４に対して光信号Ａｓ及びＢｓの中心周波数Ａｆ、Ｂｆと占有周波数帯域幅Ａｗ、Ｂｗを設定する。その結果、光信号Ａｓ及びＢｓのレベルモニタ及びレベル制御が可能となる。この手順は、図４のＳ２１〜Ｓ２２に対応する。
【００３９】
さらに、装置運用者は、ＷＤＭ光伝送装置３００に対し、信号Ａｓと光信号Ｂｓとをスルー接続させる設定を行う。具体的には、装置運用者は、ＮＭＳ１を操作し、監視ネットワーク２及び監視制御部３０１を介して、光経路切替部３０３に対して光信号Ａｓと光信号Ｂｓとをスルー接続させる設定を行う。さらに、装置運用者は、光レベルモニタ部３０４に対しても、光信号Ａｓ及びＢｓの中心周波数Ａｆ、Ｂｆと占有周波数帯域幅Ａｗ、Ｂｗとを、光信号Ａｓ及びＢｓのレベルモニタ及びレベル制御が可能となるように設定する。この手順は、図４のＳ３１〜Ｓ３２に対応する。
【００４０】
装置運用者は、ＷＤＭ光伝送装置４００に対しては、光信号Ａｓと光信号Ｂｓとを分離させる設定を行う。具体的には、装置運用者は、ＮＭＳ１を操作し、監視ネットワーク２及び監視制御部４０１を介して、光レベルモニタ部４０４に対して光信号Ａｓの中心周波数Ａｆと占有周波数帯域幅Ａｗ、光信号Ｂｓの中心周波数Ｂｆと占有周波数帯域幅Ｂｗを設定する。さらに、装置運用者は、光経路切替部４０３に対しても、光信号Ａｓと光信号Ｂｓとが分離されて出力されるように、中心周波数Ａｆ及び中心周波数Ｂｆの分離接続設定を行う。この手順は、図４のＳ４１〜Ｓ４２に対応する。以上で設定が完了する。
【００４１】
フレックスグリッド方式が適用された場合には、中心波長及び占有周波数帯域幅が一定ではない。このため、図３及び図４に示したように、ＷＤＭ光伝送装置１００、２００、３００及び４００のそれぞれが備える各光レベルモニタ部１０４、２０４、３０４、４０４に対しても、中心波長及び占有周波数帯域幅に基づいて適切な設定を行う必要がある。このため、フレックスグリッド方式においては、固定グリッド方式と比較して、設定手順が煩雑となる。
【００４２】
一方、各光レベルモニタ部に対する中心波長及び占有周波数帯域幅の設定が行われない場合には、光信号に含まれるキャリアの中心波長や周波数帯域幅を光レベルモニタ部が知ることができない。その結果、各光レベルモニタ部は、光信号のレベル補正を期待された品質で行うことができない恐れがある。
【００４３】
（３．光監視信号を用いて設定する例）
図５は、フレックスグリッド方式が適用された光伝送システム１０において、光監視信号を用いた設定の例を説明する図である。図６は、図５の場合における装置運用者の操作手順の例を説明する図である。図５では、ＷＤＭ光伝送装置１００からＷＤＭ光伝送装置４００の方向に、中心周波数Ａｆ、占有周波数帯域幅Ａｗを使用する光信号Ａｓ及び中心周波数Ｂｆ、占有周波数帯域幅Ｂｗを使用する光信号Ｂｓを疎通させる場合について示す。図５及び図６において、装置運用者が設定する内容は一点鎖線の経路により各部に反映される。また、図５及び図６の破線は、後述する光監視信号を用いた各光レベルモニタ部への遠隔設定の経路を示す。
【００４４】
まず、光波長変換部１０２、光経路切替部１０３、３０３、４０３、光レベルモニタ部１０４に対しては、図３及び図４と同様の手順で光信号Ａｓと光信号Ｂｓとの経路設定がなされる。すなわち、装置運用者は、ＮＭＳ１を操作し、監視ネットワーク２及び監視制御部１０１を介して、光波長変換部１０２、光経路切替部１０３、光レベルモニタ部１０４を設定する。さらに、装置運用者は、監視制御部１０１を介して、光監視部１０７に対して光信号Ａｓの中心周波数Ａｆと占有周波数帯域幅Ａｗ、光信号Ｂｓの中心周波数Ｂｆと占有周波数帯域幅Ｂｗを通知する（図６のＳ５１〜Ｓ５２）。光監視部１０７は、通知された設定の内容（設定情報）を光監視信号に含め、光監視部２０８へ送出する。
【００４５】
また、装置運用者は、ＮＭＳ１を操作し、監視ネットワーク２及び監視制御部３０１を介して、光経路切替部３０３を設定する（図６のＳ６１〜Ｓ６２）。さらに、装置運用者は、ＮＭＳ１を操作し、監視ネットワーク２及び監視制御部４０１を介して、光経路切替部４０３を設定する（図６のＳ７１〜Ｓ７２）。
【００４６】
次に、光レベルモニタ部１０４、２０４、３０４及び４０４に対しての設定手順を説明する。装置運用者はＮＭＳ１を操作し、監視ネットワーク２及び監視制御部１０１を介して、光レベルモニタ部１０４に光信号Ａｓの中心周波数Ａｆと占有周波数帯域幅Ａｗ、光信号Ｂｓの中心周波数Ｂｆと占有周波数帯域幅Ｂｗの設定を行う。なお、図６のＳ５１〜Ｓ５２には、この処理も含まれる。
【００４７】
ＷＤＭ光伝送装置２００では、光監視部２０８は、光監視部１０７から受信した光監視信号から、光信号Ａｓの中心周波数Ａｆと占有周波数帯域幅Ａｗ、光信号Ｂｓの中心周波数Ｂｆと占有周波数帯域幅Ｂｗを含む設定情報を抽出する。さらに、光監視部２０８は、抽出されたこれらの設定情報を、光レベルモニタ部２０４及び光監視部２０７に通知する。
【００４８】
光レベルモニタ部２０４は、光監視部２０８から通知された設定情報に基づいて、光信号Ａｓの中心周波数Ａｆと占有周波数帯域幅Ａｗ、光信号Ｂｓの中心周波数Ｂｆと占有周波数帯域幅Ｂｗの設定を行う（図６のＳ５３）。
【００４９】
光監視部２０７は、光監視部２０８から通知された光信号の設定情報を、光監視信号に含めて、光監視部３０８へ送出する。なお、図５は、光監視部２０８が光レベルモニタ部２０４及び光監視部２０７に対して直接通信可能なインタフェースを有する場合を示す。しかし、光監視部２０８は、監視制御部２０１を介して光レベルモニタ部２０４及び光監視部２０７に光信号Ａｓ及びＢｓの中心波長及び占有周波数帯域幅を通知してもよい。
【００５０】
ＷＤＭ光伝送装置３００では、光監視部３０８が光監視部２０７から受信した光監視信号から、光信号Ａｓの中心周波数Ａｆと占有周波数帯域幅Ａｗ、光信号Ｂｓの中心周波数Ｂｆと占有周波数帯域幅Ｂｗを含む設定情報を抽出する。さらに、光監視部２０８は、抽出されたこれらの設定情報を、光レベルモニタ部３０４及び光監視部３０７に通知する。
【００５１】
光レベルモニタ部３０４は、光監視部３０８から通知された設定情報に基づいて、光信号Ａｓの中心周波数Ａｆと占有周波数帯域幅Ａｗ、光信号Ｂｓの中心周波数Ｂｆと占有周波数帯域幅Ｂｗの設定を行う（図６のＳ５４）。
【００５２】
光監視部３０７は、光監視部３０８から通知された光信号Ａｓ及びＢｓの設定情報を、光監視信号に含めて、光監視部４０８へ送出する。なお、図４は、光監視部３０８が光レベルモニタ部３０４及び光監視部３０７に対して直接通信可能なインタフェースを有する場合を示す。しかし、光監視部３０８は、監視制御部３０１を介して光レベルモニタ部３０４及び光監視部３０７に光信号Ａｓ及びＢｓの中心波長及び占有周波数帯域幅を通知することも可能である。
【００５３】
ＷＤＭ光伝送装置４００では、光監視部４０８が光監視部３０７から受信した光監視信号から、光信号Ａｓの中心周波数Ａｆと占有周波数帯域幅Ａｗ、光信号Ｂｓの中心周波数Ｂｆと占有周波数帯域幅Ｂｗを含む設定情報を抽出する。光監視部４０８は、抽出されたこれらの設定情報を、光レベルモニタ部４０４に通知する。光レベルモニタ部４０４は、光監視部４０８から通知された設定情報に基づいて、光信号Ａｓの中心周波数Ａｆと占有周波数帯域幅Ａｗ、光信号Ｂｓの中心周波数Ｂｆと占有周波数帯域幅Ｂｗの設定を行う（図６のＳ５５）。ＷＤＭ光伝送装置２００及び３００と同様に、光監視部４０８は、監視制御部４０１を介して光レベルモニタ部４０４に光信号Ａｓ及びＢｓの波長及び占有周波数帯域幅を通知することも可能である。以上で設定が完了する。図６に示すように、光監視信号を用いることで、装置運用者は、図４と比較してより少ない手順で光レベルモニタ部１０４、２０４、３０４、４０４への設定を行うことができる。その理由は、各光レベルモニタ部への設定は、ＷＤＭ光伝送装置１００に対してのみ行えばよいからである。
【００５４】
図５及び図６で説明した光伝送システム１０では、光レベルモニタ部への設定情報はＷＤＭ光伝送装置１００からＷＤＭ光伝送装置２００、３００及び４００へ光監視信号を用いて転送される。その結果、装置運用者は、ＮＭＳ１からＷＤＭ光伝送装置１００にのみ設定を行うことで、ＷＤＭ光伝送装置１００、２００、３００及び４００が備える光レベルモニタ部１０４、２０４、３０４、４０４への設定を行うことができる。
【００５５】
その結果、第１の実施形態の光伝送システム１０は、フレックスグリッド方式が適用された場合においても装置運用者による作業が削減できるため、光伝送システムの設定作業を容易化するとともに作業の時間短縮を図ることが可能となる。
【００５６】
（第２の実施形態）
図７は、光伝送システム２０と、光監視信号を用いたその設定動作の例を説明する図である。図５で説明した光伝送システム１０では、ＷＤＭ光伝送装置１００からＷＤＭ光伝送装置４００の方向の設定のみを例に挙げて説明した。図７では、図５の構成が双方向通信に適用されている。すなわち、光伝送システム２０は、ＷＤＭ光伝送装置１００からＷＤＭ光伝送装置４００の方向の回線（以下、「上り回線」という。）、及び、ＷＤＭ光伝送装置４００からＷＤＭ光伝送装置１００の方向の回線（以下、「下り回線」という。）を備える。図７において、図５と同様な要素には同一の参照符号を付した。また、下り回線の要素に対応する機能を持つ上り回線の要素には、同様の「ＳＷ」、「ＬＥＱ」等の略号を付した。
【００５７】
光伝送システム２０においては、上り回線及び下り回線のそれぞれで、中心周波数Ａｆ、占有周波数帯域幅Ａｗを使用する光信号Ａｓ及び中心周波数Ｂｆ、占有周波数帯域幅Ｂｗを使用する光信号Ｂｓが共通に用いられるものとする。このような場合には、先に図５で説明した下り回線のＷＤＭ光伝送装置のための設定情報を、上り回線のＷＤＭ光伝送装置の各部に用いることができる。図７では、監視制御部１０１は、光経路切替部１０３及び１１３並びに光レベルモニタ部１０４及び１１４に、設定情報を通知する。同様に、光監視部２０８、３０８、４０８は、それぞれ、光レベルモニタ部２０４及び２１４、光レベルモニタ部３０４及び３１４、光レベルモニタ部４０４及び４１４に、設定情報を通知する。監視制御部３０１及び４０１も、それぞれ、光経路切替部３０３及び３１３、４０３及び４１３に設定情報を通知する。このような構成により、双方向伝送が行われる光伝送システム２０においても、設定作業の容易化及び作業時間の短縮という効果が得られる。
【００５８】
（第３の実施形態）
図５の構成例においては、ＲＯＡＤＭ／ＯＸＣ部の信号挿入箇所（ＷＤＭ光伝送装置１００の光波長変換部１０２）からＲＯＡＤＭ／ＯＸＣ部の信号分離箇所（ＷＤＭ光伝送装置４００の光波長変換部４０９）までについて記載した。しかしながら、より簡単なシステム構成として、再生中継部の光レベルモニタ部に対してのみ、光監視信号を用いた設定を行う構成も考えられる。
【００５９】
図８は、光伝送システム３０と、光監視信号を用いたその設定動作の例を説明する図である。光伝送システム３０は、図５の光伝送システム１０と比較して、ＷＤＭ光伝送装置３００に代えてＷＤＭ光伝送装置３００Ａを備える。ＷＤＭ光伝送装置３００Ａは、ＷＤＭ光伝送装置３００と比較して、光経路切替部３０３を備えない点で相違する。すなわち、ＷＤＭ光伝送装置３００Ａは、光伝送システム３０においてはＷＤＭ光伝送装置２００と同様の再生中継部である。
【００６０】
ＷＤＭ光伝送装置１００及び４００のようなＲＯＡＤＭ／ＯＸＣ部については、光経路切替部や光波長変換部に対して設定が必要である。しかし、再生中継部についてはそのような設定が不要である。また、遠地に設置される場合が多い再生中継局という性質上ＮＭＳ１との直接のインタフェースを用意することが困難なケースが考えられる。そのため、送信側のＲＯＡＤＭ／ＯＸＣ部が生成する光監視信号を用いて、再生中継局の光レベルモニタ部に対して設定を行う構成も考えられる。図８の例では、ＷＤＭ光伝送装置２００及び３００Ａが再生中継部として機能する。２台のＲＯＡＤＭ／ＯＸＣ部（ＷＤＭ光伝送装置１００及び４００）の間に設置される再生中継部が増加しても、それらの間で監視信号部を用いて光監視信号を転送することで、全ての再生中継部の光レベルモニタ部の設定を一括して行うことができる。
【００６１】
すなわち、第３の実施形態の光伝送システム３０も、光伝送システムの設定作業を容易化するとともに作業の時間短縮を図ることが可能という効果を奏する。また、再生中継部が増えるほど、設定の容易化の効果が期待できる。
【００６２】
（第４の実施形態）
図５で説明した第１の実施形態の光伝送システム１０の効果は、以下の第４の実施形態の光伝送装置によっても得られる。第４の実施形態の光伝送装置の構成は、図５のＷＤＭ光伝送装置２００の構成要素のうち、光監視部２０８及び光レベルモニタ部２０４のみを備える構成に対応する。ここで、光レベルモニタ部２０４は、一般的に光処理部と表現できる。
【００６３】
第４の光伝送装置は、光監視部（光監視部２０８に対応）と、光処理部（光レベルモニタ部２０４に対応）とを備える。すなわち、光監視部は、第１の光信号に含まれる光監視信号を受信し、受信された光監視信号から設定情報を抽出して出力する。光処理部は、第１の光監視信号が分離された光信号に所定の処理を行って第２の光信号として出力するとともに、光監視部から出力された設定情報に基づいて所定の処理の内容を設定する。
【００６４】
このような構成を備える第４の実施形態の光伝送装置は、光監視信号に含まれる設定情報に基づいて光処理部の設定を行う。このため、装置運用者が光伝送装置の設定を直接行う必要がなく、例えば外部の装置から光監視信号を用いて転送された設定情報に基づいて光伝送装置の設定が行われる。すなわち、第４の実施形態の光伝送装置も、光伝送システムの設定作業を容易化するとともに作業の時間短縮を可能とする。
【００６５】
（その他の実施形態）
図５、図７及び図８で説明した光伝送システムでは、光監視信号を使用して、中心周波数と占有周波数帯域幅の情報を光レベルモニタ部に設定する。ここで、フレックスグリッド方式適用時に精度の高い光レベルモニタ及び制御を実現するためには、伝送する光信号の状態によって、何らかの補正情報を使用することが有効である場合もある。
【００６６】
このため、例えば、光信号の変調方式毎にレベルのモニタ値やレベルの制御パラメータを補正することが有効である場合には、変調方式を示す情報を中心周波数、占有周波数帯域幅の情報と共に転送してもよい。このような情報を併せて転送することで、より精度の高い光レベルモニタ及び制御が実現できる。
【００６７】
なお、本発明の実施形態は以下の付記のようにも記載されうるが、これらには限定されない。
【００６８】
（付記１）
第１の光信号に含まれる第１の光監視信号を受信し、受信された前記第１の光監視信号から設定情報を抽出して出力する第１の光監視手段と、
前記第１の光監視信号が分離された前記第１の光信号に所定の処理を行って第２の光信号として出力するとともに、前記第１の光監視手段から出力された前記設定情報に基づいて前記所定の処理の内容を設定する光処理手段と、
を備える光伝送装置。
【００６９】
（付記２）
前記第１及び第２の光信号はＷＤＭ光信号であり、前記光処理手段は前記ＷＤＭ光信号に含まれるキャリアの振幅を前記キャリアの波長毎にモニタして制御するレベルイコライザである、付記１に記載された光伝送装置。
【００７０】
（付記３）
前記キャリアの中心周波数及び占有周波数帯域幅は、フレックスグリッド方式により規定される、付記２に記載された光伝送装置。
【００７１】
（付記４）
外部から受信した第３の光信号の波長を変換する波長変換手段、前記ＷＤＭ光信号の経路切り替えを行う光経路切替手段、前記ＷＤＭ光信号を増幅する光増幅手段、のうち少なくとも１つをさらに備える、付記２又は３に記載された光伝送装置。
【００７２】
（付記５）
前記第１の光監視手段から前記設定情報を取得し、第２の光監視信号として出力する第２の光監視手段をさらに備え、
前記第２の光信号と前記第２の光監視信号とが合波されて外部に出力される、
付記１乃至４のいずれか１項に記載された光伝送装置。
【００７３】
（付記６）
ネットワーク監視システムからの設定指示を受信し、受信した前記設定指示の内容を前記光伝送装置内に通知する監視制御手段をさらに備える、付記１乃至５のいずれか１項に記載された光伝送装置。
【００７４】
（付記７）
設定指示を生成するネットワーク監視装置と、
前記設定指示を転送するネットワークと、
前記ネットワークから前記設定指示を受信して、受信した前記設定指示の内容を装置内に通知する監視制御手段を備える、付記５に記載された光伝送装置と、
を備え、
前記複数の光伝送装置は縦続接続されている、光伝送システム。
【００７５】
（付記８）
第１の光信号に含まれる第１の光監視信号を受信し、
受信された前記第１の光監視信号から設定情報を抽出して出力し、
前記第１の光監視信号が分離された前記第１の光信号に所定の処理を行って第２の光信号として出力し、
前記設定情報に基づいて前記所定の処理の内容を設定する、
光伝送装置の設定方法。
【００７６】
（付記９）
前記第１及び第２の光信号はＷＤＭ光信号であり、前記所定の処理は前記ＷＤＭ信号に含まれるキャリアの振幅を前記キャリアの波長毎にモニタして制御する処理である、付記８に記載された光伝送装置の設定方法。
【００７７】
（付記１０）
前記ＷＤＭ光信号のキャリアの中心周波数及び占有周波数帯域幅は、フレックスグリッド方式により規定される、付記９に記載された光伝送装置の設定方法。
【００７８】
（付記１１）
外部から受信した第３の光信号の波長を変換する変換処理、
前記ＷＤＭ光信号の経路切り替えを行う光経路切替処理、
前記ＷＤＭ光信号を増幅する光増幅処理、
のうち少なくとも１つの処理をさらに含む、付記９又は１０に記載された光伝送装置の設定方法。
【００７９】
（付記１２）
さらに、
前記設定情報を第２の光監視信号として出力し、
前記第２の光信号と前記第２の光監視信号とを合波して外部に出力する、
付記８乃至１１のいずれか１項に記載された光伝送装置の設定方法。
【００８０】
（付記１３）
さらに、
ネットワーク監視システムからの設定指示を受信し、
受信した前記設定指示の内容を前記光伝送装置内に通知する、付記８乃至１２のいずれか１項に記載された光伝送装置の設定方法。
【００８１】
以上、実施形態を参照して本願発明を説明したが、本願発明は上記の実施形態に限定されない。本願発明の構成や詳細には、本願発明のスコープ内で当業者が理解し得る様々な変更をすることができる。
【００８２】
例えば、上述の実施形態では、光レベルモニタ部の設定情報を光監視信号を用いてＷＤＭ光伝送装置１００から４００の間で転送し、それぞれのＷＤＭ光伝送装置が備える光レベルモニタ部に対する個別の設定作業を不要とした。しかし、光監視信号によって転送される情報は、光レベルモニタ部の設定情報には限定されない。光監視信号は、ＷＤＭ光伝送装置１００から４００のいずれかが備える光増幅器や光経路切替部などの、光レベルモニタ部以外の各部の設定情報を転送してもよい。設定情報を含む設定信号を受信した光監視部が当該設定情報をそれぞれのＷＤＭ光伝送装置の各部に転送することで、光レベルモニタ部以外の部位の設定を行うことができる。
【００８３】
また、それぞれの実施形態に記載された構成は、必ずしも互いに排他的なものではない。本発明の作用及び効果は、上述の実施形態の全部又は一部を組み合わせた構成によって実現されてもよい。
【符号の説明】
【００８４】
１    ＮＭＳ
２    監視ネットワーク
１０、２０、３０  光伝送システム
１００、２００、３００、３００Ａ、４００    ＷＤＭ光伝送装置
１０１、２０１、３０１、４０１    監視制御部
１０２、１１９、４０９、４１２    光波長変換部
１０３、１１３、３０３、３１３、４０３、４１３    光経路切替部
１０４、１１４、２０４、２１４、３０４、３１４、４０４、４１４    光レベルモニタ部
１０６、１１６、２０６、２１６、３０５、３０６、３１５、３１６、４０５、４１６    光増幅部
１０７、１１８、２０７、２０８、２１７、２１８、３０７、３０８、３１７、３１８、４０８、４１７    光監視部
【図１】
2018050155.tif 000003
【図２】
2018050155.tif 000004
【図３】
2018050155.tif 000005
【図４】
2018050155.tif 000006
【図５】
2018050155.tif 000007
【図６】
2018050155.tif 000008
【図７】
2018050155.tif 000009
【図８】
2018050155.tif 000010